(57)【特許請求の範囲】
【請求項１】
賃貸住宅の居室の壁の一部に、打ち込みまたはねじ込まれた釘やビス等を保持する保持力を発揮でき、かつ、床面から天井面までの高さを有する壁面材が取り付けられており、
前記壁には見切材が固定されており、
前記壁面材は、前記壁に、前記見切材に当該壁面材の少なくとも一辺の外縁部を着脱可能に装着することによって取り外し可能に取り付けられていることを特徴とする壁構造。
【請求項２】
請求項１に記載の壁構造において、
前記壁面材は高強度石膏ボードであることを特徴とする壁構造。
【請求項３】
請求項１または２に記載の壁構造において、
前記壁に、棚板を支持可能な少なくとも二つの袖壁が設けられていることを特徴とする壁構造。
【請求項４】
請求項３に記載の壁構造において、
前記袖壁および当該袖壁間の上方に位置する天井は、打ち込みまたはねじ込まれた釘やビス等を保持する保持力を発揮できる構成となっていることを特徴とする壁構造。
【発明の詳細な説明】
【技術分野】
【０００１】
本発明は、賃貸住宅の居室の壁の一部に壁面材を取り付けてなる壁構造に関する。
【背景技術】
【０００２】
住宅内部の間仕切り壁構造の一例として特許文献１に記載のものが知られている。
この間仕切り壁構造は、天井と床面との間に、取り付け部材を介して間仕切りパネルである石膏ボードを固定する間仕切り壁構造であって、前記取り付け部材は、上ランナーと下ランナーと、これらの間に装着するスタッドとを備え、前記上ランナーと下ランナーとの側面には、それぞれ互いに対向して開口するコの字断面形状のケンドン式の差込溝が設けてあり、前記石膏ボードの上下端部を、それぞれ前記上ランナーと下ランナーとの差込溝に差込み、この石膏ボードの裏面と前記スタッドとを着脱自在の接着材によって接合して構成したものである。
【先行技術文献】
【特許文献】
【０００３】
【特許文献１】特開２００７−２６２８２３号公報
【発明の概要】
【発明が解決しようとする課題】
【０００４】
ところで、アパートやマンション等の賃貸住宅では、間仕切り壁等の壁として、比較的割安な石膏ボードを使用した壁が多いが、借主が壁に自由に釘やビスを打ち込みまたはねじ込むことは許されていない場合が多く、このような場合、壁に自分の好みの絵画や飾り等を取り付けることは容易ではなかった。
また、壁に釘やビスを打ち込みまたはねじ込むことが許されている場合でも、間仕切り壁等の壁を構成する通常の石膏ボードは比較的脆い性質を有しているため、釘やビス等を確実に保持することが困難であり、時間の経過に伴って、釘やビスが絵画や飾り等の重みによって石膏ボードから抜け落ちたり、緩んだりすることがある。
【０００５】
本発明は上記事情に鑑みてなされたもので、賃貸住宅において、借主が釘やビス等を自由に打ち込みまたはねじ込むことができ、かつ、釘やビスが抜け落ちたり、緩んだりするのを防止できる壁構造を提供することを課題としている。
【課題を解決するための手段】
【０００６】
上記課題を解決するために、請求項１に記載の発明は、例えば図１〜図８に示すように、賃貸住宅の居室２の壁３の一部に、打ち込みまたはねじ込まれた釘やビス等を保持する保持力を発揮でき、かつ、床面２ａから天井面２ｂまでの高さを有する壁面材１０が取り付けられており、
前記壁３には見切材２１が固定されており、
前記壁面材１０は、前記壁３に、前記見切材２１に当該壁面材１０の少なくとも一辺の外縁部を着脱可能に装着することによって取り外し可能に取り付けられていることを特徴とする。
【０００７】
請求項１に記載の発明によれば、賃貸住宅の居室２の壁３の一部に、釘やビス等を保持する保持力を発揮でき、かつ、床面２ａから天井面２ｂまでの高さを有する壁面材１０が取り付けられているので、借主はこの壁面材１０に釘やビス等を自由に打ち込みまたはねじ込むことができる。つまり、釘やビス等を自由に打ち込みまたはねじ込むことができる壁が居室２の壁３の全体ではなく、壁面材１０に限定されているので、この壁面材１０に釘やビス等を自由に打ち込みまたはねじ込むことができる。
また、壁面材１０は石膏ボードに比して釘やビス等を保持する保持力を発揮できるので、釘やビスが抜け落ちたり、緩んだりするのを防止できる。
また、見切材２１によって壁面材１０の端面を隠すことができる。また、壁面材１０を壁３から取り外す場合、壁面材１０の外縁部を見切材２１から外すことによって当該壁面材１０を壁３から容易に取り外すことができ、また、新たな壁面材１０を壁３に取り付ける場合、当該壁面材１０の外縁部を見切材２１に装着することによって当該壁面材１０を壁３に容易に取り付けることができる。
したがって、借主が替ったり、壁面材１０に釘やビス等の跡が大きく残っている場合、壁面材１０を取り外して新たな壁面材１０を取り付けることができる。
【０００８】
請求項２に記載の発明は、請求項１に記載の壁構造において、前記壁面材１０は高強度石膏ボードであることを特徴とする。
ここで、高強度石膏ボードとしては、通常の石膏ボードに比して曲げ破壊荷重や表面の硬さが２倍以上のものが好適に使用される。
【０００９】
請求項２に記載の発明によれば、壁面材１０は高強度石膏ボードであり、合板等より比較的安価であるので、施工費を軽減できる。
【００１４】
請求項３に記載の発明は、請求項１または２に記載の壁構造において、
前記壁３に、棚板１５,２０を支持可能な少なくとも二つの袖壁５,５が設けられていることを特徴とする。
【００１５】
請求項３に記載の発明によれば、袖壁５,５に棚板１５,２０を支持させることによって、壁面材１０の前に棚板１５,２０を容易に設置できるので、壁面材１０と袖壁５,５とによって囲まれた部分に、物を収納したり、また、棚板２０を机としても使用できる。したがって、壁面材１０と袖壁５,５とによって囲まれた部分を有効に利用できる。
【００１６】
請求項４に記載の発明は、請求項３に記載の壁構造において、
前記袖壁５および当該袖壁５,５間の上方に位置する天井は、打ち込みまたはねじ込まれた釘やビス等を保持する保持力を発揮できる構成となっていることを特徴とする。
【００１７】
請求項４に記載の発明によれば、壁面材１０、袖壁５、天井がそれぞれ釘やビス等を保持する保持力を発揮できるので、壁面材１０、袖壁５、天井のいずれにも絵画や飾り等の物を取り付けることができる。
【発明の効果】
【００１８】
本発明によれば、賃貸住宅の居室の壁の一部に、打ち込みまたはねじ込まれた釘やビス等を保持する保持力を発揮でき、かつ、床面から天井面までの高さを有する壁面材が取り付けられているので、借主はこの壁面材に釘やビス等を自由に打ち込みまたはねじ込むことができる。
また、壁面材は石膏ボードに比して釘やビス等を保持する保持力を発揮できるので、釘やビスが抜け落ちたり、緩んだりするのを防止できる。
【図面の簡単な説明】
【００１９】
【図１】本発明に係る壁構造を備えたアパートの一部を示す平面図である。
【図２】本発明に係る壁構造を示すもので、その斜視図である。
【図３】同、その平断面図である。
【図４】同、要部の正面図である。
【図５】同、要部の側断面図である。
【図６】同、棚板を２枚設置した状態を示す斜視図である。
【図７】本発明に係る壁構造の他の第１例を示すもので、壁面材を見切材によって取り付けた状態を示す斜視図である。
【図８】本発明に係る壁構造の他の第２例を示すもので、壁面材を見切材によって取り付けた状態を示す斜視図である。
【発明を実施するための形態】
【００２０】
以下、図面を参照して、本発明の実施の形態について説明する。
図１は本発明に係る壁構造を備えた賃貸住宅であるアパートの一部を示す平面図である。
図１に示すように、居室１、２が左右に隣接配置されており、居室１は洋間として使用され、居室２は居間兼食堂して使用されている。居室２を形成する壁３の一部には、図２および図３に示すように、袖壁５,５が対向離間して設けられている。
なお、図１において、符号４ａは玄関、符号４ｂは洗面室、符号４ｃは浴室、符号４ｄは台所を示す。
【００２１】
前記壁３は、図３に示すように、壁本体３ａとこの壁本体３ａの表面に取り付けられた石膏ボード３ｂとから構成されている。
壁本体３ａは、複数の壁パネル６を接合して構成されており、壁パネル６,６どうしは直接接合されたり、角材７を介して接合されている。壁パネル６は枠材６ａを矩形枠状に組み立ててなる枠体の両面に合板からなる面材６ｂを取り付けて構成されており、壁パネル６の内部には断熱材が充填されている。前記角材７や枠材６ａは壁３の骨組を構成する構造材となっている。
壁３の表面つまり石膏ボード３ｂの表面には、壁面材１０が取り外し可能に取り付けられている。この壁面材１０は高強度石膏ボードによって形成されており、床面２ａから天井面２ｂまでの高さを有している。
壁面材１０は、釘、ビス等の止着材１２のみによって壁３を構成する構造材（角材７や枠材６ａ）に取り外し可能に取り付けられており、これによって、壁３に取り外し可能に取り付けられている。つまり、壁面材１０を壁３から取り外す場合、止着材１２を構造材から引き抜けばよく、また、取り付ける場合、壁面材１０の表面から止着材１２を構造材に打ち込みまたはねじ込めばよい。
なお、壁面材１０を接着剤や釘、ビス等によって壁３に取り外し不能に取り付けてもよい。
【００２２】
前記高強度石膏ボードによって形成された壁面材１０は、打ち込みまたはねじ込まれた釘やビス等を保持する保持力を発揮できるようになっており、通常の石膏ボードより曲げ破壊荷重や表面の硬さが２倍以上になっている。
また、壁面材１０の表面には木目調のクロス１１が貼り付けられており、これによって、壁面材１０の見映えをよくするとともに、借主等に、この壁面材１０に釘やビスを打ち込みまたはねじ込めることを示している。また、木目調のクロス１１は借主が替ったり、クロス１１に釘やビス等の跡が大きく残っている場合に、張替えを前提として貼り付けられたものである。
【００２３】
前記袖壁５は、壁３と同様に、壁本体５ａとこの壁本体５ａの表面に取り付けられた石膏ボード５ｂとから構成されている。壁本体５ａは、複数の壁パネル６を接合して構成されており、壁パネル６,６どうしは直接接合されている。
また、この袖壁５と壁３とを接合する場合、壁本体５ａの表面に石膏ボード５ｂを取り付ける前に、袖壁５の表面から壁３の枠材６ａに釘を斜め打ちするとともに、接合面どうしを接着剤によって接着することによって接合されている。また、袖壁５の表面には、通常の無地のクロス１３が貼り付けられている。
【００２４】
前記袖壁５,５には棚板１５が以下のようにして支持されている。すなわち、図３〜図５に示すように、袖壁５,５および壁面材１０の表面には、所定の高さ位置において桟材１６が平面視において略コ字状に配置され、これら桟材１６・・・は釘１７を袖壁５を構成する壁パネル６および壁３を構成する壁パネル６に打ち込むことによって、袖壁５,５および壁面材１０の表面に固定されている。
そして、これら桟材１６・・・に棚板１５を設置することによって、棚板１５が水平に支持されている。棚板１５は桟材１６の下面から棚板１５に打ち込まれた釘１８によって棚板１５に固定されている。
また、棚板１５の前端部下面には、前板部１５ａが釘１９によって取り付けられており、この前板部１５ａの下端は、桟材１６の下面より下方に位置している。なお、棚板１５の表面には仕上材１５ｂが貼り付けられている。
【００２５】
本実施の形態の壁構造によれば、賃貸住宅の居室２の壁３の一部に、釘やビス等を保持する保持力を発揮でき、かつ、床面から天井面までの高さを有する壁面材１０が取り外し可能に取り付けられているので、借主はこの壁面材１０に釘やビス等を自由に打ち込みまたはねじ込むことができる。つまり、釘やビス等を自由に打ち込みまたはねじ込むことができる壁が居室２の壁３の全体ではなく、壁面材１０に限定されているので、この壁面材１０に釘やビス等を自由に打ち込みまたはねじ込むことができる。
また、借主が替ったり、クロス１１下の壁面材１０に釘やビス等の跡が大きく残っている場合、壁面材１０を取り外して新たな壁面材１０を取り付けることができる。したがって、借主は釘やビス等を壁面材１０に自由に打ち込みまたはねじ込むことができる。
また、釘やビス等の跡が小さい場合で、借主が替った場合はクロス１１を張替えればよい。
【００２６】
さらに、壁面材１０は高強度石膏ボードで形成されており、通常の石膏ボードに比して釘やビス等を保持する保持力を発揮できるので、釘やビスが抜け落ちたり、緩んだりするのを防止できる。また、高強度石膏ボードは、合板等より比較的安価であるので、施工費を軽減できる。
加えて、壁面材１０は、釘、ビス等の止着材１２のみによって壁３を構成する壁パネル６の構造材に取り外し可能に取り付けられているので、壁面材１０を壁３に強固に固定できるとともに、止着材１２を構造材から外すことによって、壁面材１０を壁３から容易に取り外すことができる。
【００２７】
また、壁３に、棚板１５を支持可能な二つの袖壁５,５が設けられているので、袖壁５,５に棚板１５を支持させることによって、壁面材１０の前に棚板１５を容易に設置できる。したがって、壁面材１０と袖壁５,５とによって囲まれた部分に、物を収納したり、また、図６に示すように、棚板１５の下方に、別の棚板２０を棚板１５と同様にして支持させて設けることによって、当該棚板２０を机としても使用できる。したがって、壁面材１０と袖壁５,５とによって囲まれた部分を有効に利用できる。
【００２８】
なお、本実施の形態では、壁面材１０を、釘、ビス等の止着材１２のみによって壁３を構成する構造材に取り外し可能に取り付けたが、これに代えて、以下のようにして取り付けてもよい。
すなわち、まず図７に示すように、壁３に袖壁５が１つ設けられている場合、壁３の所定の位置に断面略コ字形の樹脂製の見切材２１をその開口部を袖壁５側に向けて固定しておき、この見切材２１に壁面材１０の一辺の外縁部を着脱可能に装着するともに、他辺の側端面を壁面材１０に当接するようにして、取り付けてもよい。なお、この壁面材１０にも木目調のクロスが貼り付けられている。
【００２９】
壁面材１０を壁３に取り付ける場合、見切材２１の開口部に壁面材１０の一辺の外縁部を、平面視において壁面材１０が壁３の表面に対して傾斜するようにして挿入したうえで、壁面材１０の他辺の外縁部を袖壁５の表面に沿って壁３に近づけて行き、壁３と袖壁５の入隅部における袖壁５の表面に、壁面材１０の他辺の側端面を当接することによって行う。この場合、見切材２１が樹脂で形成されているので、この見切材２１の弾性力によって壁面材１０の側端面が袖壁５に圧接されることで、壁面材１０が固定される。
壁面材１０を取り外す場合、壁面材１０の側端面と袖壁５の表面との間にドライバー等の工具の先端を差し込み、引き抜くようにすれば、平面視において、壁面材１０が見切材２１を支点として回転するようにして、壁３から離れるので、容易に取り外すことができる。
【００３０】
また、図８に示すように、壁３に袖壁５が設けられていない場合、まず、壁３の所定の位置に前記見切材２１,２１を、壁面材１０の左右の長さとほぼ等しい長さだけ離間させ、かつ開口部を対向させて固定しておく。一方の見切材２１の断面コ字形の底部には、弾性変形可能な弾性部材２１ａが設けられている。なお、この壁面材１０にも木目調のクロスが貼り付けられている。
次に、一方の見切材２１の開口部に壁面材１０の一辺の外縁部を平面視において壁面材１０が壁３の表面に対して傾斜するようにして挿入したうえで、壁面材１０の他辺の外縁部を他方の見切材２１に近づけて行き、この見切材２１に押し込む際に、壁面材１０を一方の見切材２１側に前記弾性部材２１ａが圧縮されるようにして押圧したうえで、他方の見切材２１に押し込むと、弾性部材２１ａが弾性復帰して、壁面材１０の他辺の外縁部が他方の見切材２１にはめ込まれることによって行う。
壁面材１０を取り外す場合、壁面材１０を一方の見切材２１側に押圧して、壁面材１０の他辺の外縁部を他方の見切材２１から外したうえで、当該外縁部を引き寄せることによって、容易に取り外すことができる。
【００３１】
図７および図８に示すような場合、見切材２１によって壁面材１０の端面を隠すことができる。また、壁面材１０を壁３から取り外す場合、壁面材１０の外縁部を見切材２１から外すことによって当該壁面材１０を壁３から容易に取り外すことができ、また、新たな壁面材１０を壁３に取り付ける場合、当該壁面材１０の外縁部を見切材２１に装着することによって当該壁面材１０を壁３に容易に取り付けることができる。
【００３２】
また、本実施の形態では、壁面材１０を壁３にのみ取り付けたが、これに加えて、袖壁５,５および袖壁５,５間の上方に位置する天井にも壁面材１０を取り付けることによって、袖壁５および天井を、打ち込みまたはねじ込まれた釘やビス等を保持する保持力を発揮できる構成としてもよい。
このようにすれば、袖壁５にも釘やビス等を打ち込みまたはねじ込んで物を取り付けることができるとともに、天井にも釘やビス等を打ち込みまたはねじ込んで物を吊るすことができる。
【符号の説明】
【００３３】
２  居室
２ａ  床面
２ｂ  天井面
３  壁
５  袖壁
６ａ  枠材（構造材）
７  角材（構造材）
１０  壁面材
１２  止着材
１５,２０  棚板
【図１】
0005650488.tif 000002
【図２】
0005650488.tif 000003
【図３】
0005650488.tif 000004
【図４】
0005650488.tif 000005
【図５】
0005650488.tif 000006
【図６】
0005650488.tif 000007
【図７】
0005650488.tif 000008
【図８】
0005650488.tif 000009